【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  予め定められたアミド結合においてβ-アミロイドの加水分解を触媒する抗体。
【請求項２】  β-アミロイドの残基39と40の間のアミド結合の加水分解を触媒する請求項１に記載の抗体。
【請求項３】  β-アミロイドの残基40と41の間のアミド結合の加水分解を触媒する請求項１に記載の抗体。
【請求項４】  β-アミロイドの残基41と42の間のアミド結合の加水分解を触媒する請求項１に記載の抗体。
【請求項５】  予め定められたアミド結合における加水分解中にβ-アミロイドがとる遷移状態を模する遷移状態類似体に優先的に結合し、そしてまたELISAを使用して検出するために十分な親和性で天然のβ-アミロイドにも結合する、請求項１に記載の抗体。
【請求項６】  予め定められたアミド結合における加水分解中にβ-アミロイドがとる遷移状態を模する遷移状態類似体に優先的に結合し、そしてELISAを使用して検出するために十分な親和性で天然のβ-アミロイドに結合しない、請求項１に記載の抗体。
【請求項７】  血液脳関門をわたる能力および予め定められたアミド結合におけるβ-アミロイドの加水分解を触媒する能力を特徴とする、ベクター化された抗体。
【請求項８】  二重特異性抗体である、請求項７に記載のべクター化された抗体。
【請求項９】  トランスフェリンレセプターに対する第１の特異性および加水分解中にβ-アミロイドがとる遷移状態に対する第２の特異性を有する、請求項８に記載のベクター化された抗体。
【請求項１０】  残基39と40の間のβ-アミロイドアミドの加水分解を触媒する請求項９に記載のベクター化された抗体。
【請求項１１】  有効成分として、β-アミロイドに特異的な抗体を含んでなり、かつ、該抗体が動物の循環中のβ-アミロイドの停留を増加させるために動物に静脈内投与されるものである、ことを特徴とする動物の血流中の遊離β-アミロイドを隔絶するための製薬学的製剤。
【請求項１２】  有効成分として、内因性β-アミロイド上に存在するエピトープを含有する抗原を含んで成り、かつ、該抗原が内因性β-アミロイドに結合する抗体を生成するために動物を免疫感作するものである、ことを特徴とする動物の血流中の遊離β-アミロイドを隔絶するための製薬学的製剤、
工程を含んで成る、上記方法。
【請求項１３】  有効成分として、内因性のβ-アミロイドに特異的な抗体を含んで成り、かつ、該抗体が動物の循環中のβ-アミロイドの停留を増加させるために動物に静脈内投与されるものである、ことを特徴とする動物の脳内のβ-アミロイドレベルを低下させるための製薬学的製剤。
【請求項１４】  β-アミロイドに特異的な抗体が、予め定められたアミド結合でβ-アミロイドの加水分解を触媒する触媒抗体である、請求項１３に記載の製剤。
【請求項１５】  抗体がモノクローナルである請求項１３に記載の製剤。
【請求項１６】  抗体がポリクローナルである請求項１３に記載の製剤。
【請求項１７】  抗体がβ-アミロイド1-43のＣ−末端上のエピトープを特異的に認識する、請求項１３に記載の製剤。
【請求項１８】  有効成分として、内因性のβ-アミロイド上に存在するエピトープを含有する抗原を含んで成り、かつ、該抗原が内因性β-アミロイドに結合する抗体を生成するために動物を免疫感作するものである、ことを特徴とする脳内のβ-アミロイドレベルを低下させるための製薬学的製剤。
【請求項１９】  抗原が、予め定められたアミド結合における加水分解中にβ-アミロイドがとる遷移状態を模する遷移状態類似体である、請求項１８に記載の製剤。
【請求項２０】  抗原が、Ａβ10-25を含んで成る、請求項１８に記載の製剤。
【請求項２１】  生成した抗体が、天然のβ-アミロイドよりも遷移状態類似体に対して高い親和性を有する、請求項１９に記載の製剤。
【請求項２２】  生成した抗体が内因性のβ-アミロイドの加水分解を触媒する、請求項１９に記載の製剤。
【請求項２３】  有効成分として、内因性のβ-アミロイド上に存在するエピトープを含有する抗原を含んで成り、かつ、該抗原が内因性β-アミロイドに結合する抗体を生成するために動物を免疫感作するものである、ことを特徴とする動物の脳内のβ-アミロイド斑の形成を防止するための製薬学的製剤。
【請求項２４】  抗原が、予め定められたアミド結合における加水分解中にβ-アミロイドがとる遷移状態を模する遷移状態類似体である、請求項２３に記載の製剤。
【請求項２５】  有効成分として、内因性のβ-アミロイドポリペプチドの予め定められた加水分解遷移状態の模造物であるエピトープを含有する抗原を含んで成り、かつ、該抗原がβ-アミロイド加水分解遷移状態に対する抗体を生成するために動物を免疫感作するものである、ことを特徴とする動物内の循環しているβ-アミロイドレベルを低下させるための製薬学的製剤。
【請求項２６】  有効成分として、内因性のβ-アミロイドの加水分解を触媒する抗体を含んで成り、かつ、該抗体が動物に静脈内投与されるものである、ことを特徴とする動物内の循環しているβ-アミロイドレベルを低下させるための製薬学的製剤。
【請求項２７】  有効成分として、予め定められたアミド結合において、動物により生成されるβ-アミロイドの加水分解を触媒する抗体を含んでなり、かつ、該抗体が動物の血中のβ-アミロイドレベルにおいて有意な低下を引き起こすために動物に投与されるものである、ことを特徴とする動物の脳内のアミロイド斑の形成を防止するための製薬学的製剤。
【請求項２８】  有効成分として、予め定められたアミド結合において動物のβ-アミロイドの加水分解を触媒する、血液脳関門をわたって細胞輸送することができるベクター化された二重特異性抗体を含んで成り、かつ、該抗体が動物に静脈内投与されるものである、ことを特徴とする動物の脳内のβ-アミロイドレベルを低下させるための製薬学的製剤。
【請求項２９】  ベクター化された二重特異性抗体がトランスフェリンレセプターに特異的に結合する、請求項２８に記載の製剤。
【請求項３０】  ベクター化された二重特異性抗体が、β-アミロイドの残基39と40との間のアミド結合の加水分解を触媒する、請求項２８に記載の製剤。
【請求項３１】  有効成分として、予め定められたアミド結合において動物により生成されたβ-アミロイドの加水分解を触媒する、血液脳関門をわたって細胞輸送することができるベクター化された二重特異性抗体を含んで成り、かつ、該抗体が動物の脳内のβ-アミロイドレベルに有意な減少を引き起こすために十分な量で動物に静脈内投与されるものである、ことを特徴とする動物の脳内に存在するアミロイド斑を分解するための製薬学的製剤。
【請求項３２】  有効成分として、予め定められたアミド結合において動物により生成されたβ-アミロイドの加水分解を触媒する抗体を含んで成り、かつ、該抗体が動物に投与されるものである、ことを特k長とする動物の脳内に存在するアミロイド斑を分解するための製薬学的製剤。
【請求項３３】  タンパク質またはポリペプチドの加水分解を触媒する抗体の生成法であって、
ａ）抗原を提供し、抗原はポリペプチドの予め定められた加水分解遷移状態の立体配置を模するスタチン類似体を有するエピトープを含んで成り；
ｂ）加水分解遷移状態に対する抗体を生成するために適当な条件下で、抗原で動物を免疫感作する、
工程を含んで成る、上記方法。
【請求項３４】  タンパク質がβ-アミロイドである、請求項３３に記載の方法。
【請求項３５】  タンパク質またはポリペプチドの加水分解を触媒する抗体の生成法であって、
ａ）抗原を提供し、抗原はポリペプチドの予め定められた加水分解遷移状態の立体配置を模する還元されたペプチド結合類似体を有するエピトープを含んで成り；
ｂ）加水分解遷移状態に対する抗体を生成するために適当な条件下で、抗原で動物を免疫感作する、
工程を含んで成る、上記方法。
【請求項３６】  タンパク質がβ-アミロイドである、請求項３５に記載の方法。